(57)【要約】【課題】用紙に無線タグが埋め込まれている場合において、その用紙の各面と無線タグ内の情報との対応付けが可能にする。【解決手段】用紙上に描かれている画像を光学的に読み取る画像読取手段１１と、前記用紙に埋め込まれている無線タグと非接触で通信し当該無線タグから前記画像についての管理情報および前記用紙についての面識別情報を読み取る通信手段１４と、前記通信手段１４が読み取った面識別情報に基づいて前記画像読取手段１１が読み取った画像と前記通信手段１４が読み取った管理情報との対応付けを行う判定手段１６とを備えて、画像処理装置１０を構成する。【選択図】図１
2007105889.tif 000002
【特許請求の範囲】
【請求項１】
用紙上への画像の印刷出力を行う画像出力手段と、
前記用紙に埋め込まれている無線タグと非接触で通信し当該無線タグへの情報書き込みを行う通信手段とを備えるとともに、
前記通信手段は、前記画像出力手段が印刷出力する画像についての管理情報と、当該画像が印刷出力される前記用紙についての面識別情報とを、互いに対応付けて前記無線タグへ書き込むものである
ことを特徴とする画像処理装置。
【請求項２】
用紙上に描かれている画像を光学的に読み取る画像読取手段と、
前記用紙に埋め込まれている無線タグと非接触で通信し当該無線タグから前記画像についての管理情報および前記用紙についての面識別情報を読み取る通信手段と、
前記通信手段が読み取った面識別情報に基づいて前記画像読取手段が読み取った画像と前記通信手段が読み取った管理情報との対応付けを行う判定手段と
を備えることを特徴とする画像処理装置。
【請求項３】
前記面識別情報は、前記用紙の表裏面を判別するための情報である
ことを特徴とする請求項１または２記載の画像処理装置。
【請求項４】
前記面識別情報は、複数枚の用紙からなる用紙束における各用紙の印刷出力面を特定するための情報である
ことを特徴とする請求項１または２記載の画像処理装置。
【請求項５】
前記面識別情報は、前記用紙の面別に異なる当該用紙上の画像の特徴に関する情報からなる
ことを特徴とする請求項１、２、３または４記載の画像処理装置。
【請求項６】
前記面識別情報は、前記用紙の面別に異なる態様で付与される識別記号に関する情報からなる
ことを特徴とする請求項１、２、３または４記載の画像処理装置。
【請求項７】
前記面識別情報は、前記用紙の処理対象面からみた前記無線タグの埋め込み位置に関する情報からなる
ことを特徴とする請求項１、２、３または４記載の画像処理装置。
【請求項８】
前記面識別情報は、前記用紙上における画像の描画方向に関する情報と、前記無線タグの埋め込み位置に関する情報とからなる
ことを特徴とする請求項１、２、３または４記載の画像処理装置。
【請求項９】
画像印刷出力または光学的画像読み取りの少なくとも一方を行う画像処理装置にて用いられ、非接触での通信により外部との間で記憶情報の授受を行い得る無線タグが埋め込まれている無線タグ埋め込み用紙であって、
前記無線タグに、描画画像についての管理情報と、当該描画画像の描画面についての面識別情報とが、互いに対応付けて記憶保持されている
ことを特徴とする無線タグ埋め込み用紙。
【発明の詳細な説明】
【技術分野】
【０００１】
本発明は、画像の印刷出力または光学的な画像読み取りの少なくとも一方を行う画像処理装置に関し、特に無線タグが埋め込まれた用紙に対する印刷出力または画像読み取りを行う画像読取装置に関する。さらには、かかる画像処理装置にて用いられる無線タグ埋め込み用紙に関する。
【背景技術】
【０００２】
近年、個人認証情報や物品管理情報等を非接触で読み書きすることのできる無線タグが様々な形態で利用されつつある。無線タグとしては、例えばＲＦＩＤ（Radio Frequency Identification）タグが広く知られている。ＲＦＩＤタグは、情報記録が可能な無線ＩＣチップで、電波を使って専用のリーダとの間で情報を送受信する機能を持ち、その埋め込みによって被埋め込み物の識別等に利用されるものである。形状は、ラベル型、カード型、コイン型、スティック型等といった様々なものがあり、また通信距離も数mm程度のものから数ｍのものがあり、その用途に応じて使い分けられる。さらには、アンテナ側からの非接触電力伝送技術により、電池を持たない半永久的に利用可能なものも登場している。
【０００３】
このようなＲＦＩＤタグに代表される無線タグは、プリンタ装置、スキャナ装置、複写機等といった画像処理装置の分野においても利用することが提案されている。すなわち、画像処理装置の中には、無線タグが埋め込まれた用紙に対する印刷出力または画像読み取りを行うものがある。具体的には、印刷設定情報、画像処理パラメータ情報、画像の領域情報や属性情報等を、用紙に埋め込まれた無線タグに記憶させておき、画像読み取り時に無線タグからの情報読み取りをも行い、その無線タグから読み取った情報に従いつつ、画像読み取りで得た画像データに対する画像処理動作を制御するものがある（例えば、特許文献１〜３参照）。
【０００４】
【特許文献１】特開２００４−８８５８０号公報
【特許文献２】特開２００４−８８５８３号公報
【特許文献３】特開２００４−８８５８５号公報
【発明の開示】
【発明が解決しようとする課題】
【０００５】
ところで、画像処理装置としては、用紙の自動反転機構を備え、その用紙の両面（表裏面）に対して印刷出力または画像読み取りを行い得るものが広く普及している。
しかしながら、用紙の両面に対する処理が可能な画像処理装置では、無線タグが埋め込まれた用紙を処理対象とする場合に、その無線タグに記憶された情報が用紙の表面／裏面のいずれに関する情報であるかを判別することができないため、無線タグにおける記憶情報を必ずしも適切に利用し得るとは限らない。すなわち、用紙の片面にのみ処理を行う画像処理装置でなければ、無線タグにおける記憶情報を有効利用できないおそれがある。
このことは、用紙の両面に対する処理を行う場合のみならず、例えば複数枚が積載された用紙束について、その用紙束を構成する各用紙における無線タグから一括して記憶情報の読み出しを行った場合にも、全く同様のことが言える。無線タグからの読み出し情報が各用紙のどの面に関する情報であるかを判別できないからである。
【０００６】
そこで、本発明は、処理対象の用紙に無線タグが埋め込まれている場合において、その用紙の各面と無線タグ内の情報との対応付けが可能な画像処理装置および無線タグ埋め込み用紙を提供することを目的とする。
【課題を解決するための手段】
【０００７】
本発明は、上記目的を達成するために案出された画像処理装置で、用紙上への画像の印刷出力を行う画像出力手段と、前記用紙に埋め込まれている無線タグと非接触で通信し当該無線タグへの情報書き込みを行う通信手段とを備えるとともに、前記通信手段は、前記画像出力手段が印刷出力する画像についての管理情報と、当該画像が印刷出力される前記用紙についての面識別情報とを、互いに対応付けて前記無線タグへ書き込むものであることを特徴とする。
【０００８】
また、本発明は、上記目的を達成するために案出された画像処理装置で、用紙上に描かれている画像を光学的に読み取る画像読取手段と、前記用紙に埋め込まれている無線タグと非接触で通信し当該無線タグから前記画像についての管理情報および前記用紙についての面識別情報を読み取る通信手段と、前記通信手段が読み取った面識別情報に基づいて前記画像読取手段が読み取った画像と前記通信手段が読み取った管理情報との対応付けを行う判定手段とを備えることを特徴とする。
【０００９】
また、本発明は、上記目的を達成するために案出された無線タグ埋め込み用紙で、画像印刷出力または光学的画像読み取りの少なくとも一方を行う画像処理装置にて用いられ、非接触での通信により外部との間で記憶情報の授受を行い得る無線タグが埋め込まれている無線タグ埋め込み用紙であって、前記無線タグに、描画画像についての管理情報と、当該描画画像の描画面についての面識別情報とが、互いに対応付けて記憶保持されていることを特徴とする。
【００１０】
上記構成の画像処理装置および無線タグ埋め込み用紙によれば、用紙に埋め込まれる無線タグには、その用紙上に描かれる画像についての管理情報に加えて、その用紙についての面識別情報が記憶される。ここで、「管理情報」とは、画像に対する処理を管理するための情報で、具体的には処理パラメータ情報や画像の属性情報等が挙げられる。また、「面識別情報」とは、用紙の各面（例えば、表面／裏面の別）を識別するための情報である。このような面識別情報を無線タグに記憶させることで、その無線タグ内における記憶情報、特に用紙の各面に描かれる画像についての管理情報と、処理対象となる用紙の面とを、それぞれ対応付けることが可能となる。
【発明の効果】
【００１１】
以上のように、本発明の画像処理装置および無線タグ埋め込み用紙では、用紙に無線タグが埋め込まれている場合において、その無線タグに面識別情報を記憶させることで、用紙の各面と無線タグ内の情報との対応付けが可能となる。したがって、例えば用紙の表裏面で異なる管理情報を無線タグが記憶する場合であっても、その表裏面のそれぞれに対して、管理情報によって特定される処理を適切に実行し得るようになる。つまり、用紙の複数面を処理対象とする場合であっても、その用紙に埋め込まれている無線タグにおける記憶情報を適切に利用して処理を行うことができる。
【発明を実施するための最良の形態】
【００１２】
以下、図面に基づき本発明に係る画像処理装置および無線タグ埋め込み用紙について説明する。
【００１３】
〔画像処理装置の構成例の説明〕
先ず、画像処理装置の構成について説明する。
【００１４】
図１は、本発明に係る画像処理装置の概略構成の一例を示す説明図である。ここで例に挙げて説明する画像処理装置１０は、複写機またはスキャン機能、プリント機能、ＦＡＸ機能等を統合した複合機として用いられるもので、図例のように、スキャナ部１１と、原稿搬送部１２と、プリンタ部１３と、情報リーダ部１４と、ＵＩ（User Interface）部１５と、制御部１６と、を備えている。
【００１５】
スキャナ部１１は、ＣＣＤ（Charge Coupled Device）等からなるイメージセンサを有してなるもので、用紙上に描かれている画像を光学的に読み取って画像データを得るものである。このスキャナ部１１が読み取り対象とする用紙には、無線タグが埋め込まれたものを含むものとする。無線タグとしては、例えばｎビットのデジタル情報が記録可能なＲＦＩＤタグが挙げられる。ただし、必ずしもＲＦＩＤタグに限定されることはなく、無線通信を利用した外部との非接触での情報授受が可能なものであれば、他のものを用いても構わない。また、スキャナ部１１は、無線タグが埋め込まれていない用紙からの画像読み取りにも対応し得ることは勿論である。
【００１６】
原稿搬送部１２は、ＤＡＤＦ（Duplexing Automatic Document Feeder）からなるもので、スキャナ部１１での読み取り対象となる用紙の自動送りおよび自動反転を行うものである。この原稿搬送部１２での用紙送りによって、スキャナ部１１は、用紙の両面からの画像読み取りを行い得るようになる。複数枚の用紙からなる用紙束について、連続して画像読み取りを行うことができる。また、原稿搬送部１２での用紙反転を経ることで、スキャナ部１１は、用紙の両面からの画像読み取りをも行い得るようになる。
【００１７】
プリンタ部１３は、公知の電子写真技術を用いて画像形成を行うプリンタエンジンを有してなるもので、用紙上への画像の印刷出力を行うものである。また、プリンタ部１３では、印刷出力の対象となる用紙の自動送りおよび自動反転を行う機能をも有しており、これらの機能によって用紙の両面に対して印刷出力を行い得るようになっている。なお、このプリンタ部１３での印刷出力の対象となる用紙には、無線タグが埋め込まれたものを含むが、無線タグが埋め込まれていない用紙についてもプリンタ部１３での印刷出力を行い得ることは勿論である。
【００１８】
情報リーダ部１４は、スキャナ部１１が画像読み取りの対象とする用紙またはプリンタ部１３での印刷出力の対象となる用紙について、その用紙に埋め込まれている無線タグと非接触での通信を行い、その無線タグとの間で情報の授受を行うものである。具体的には、ＲＦＩＤタグとの間でデジタル情報の授受を非接触で行うＲＦＩＤリーダを用いて構成することが考えられる。情報リーダ部１４の配設箇所としては、例えば、スキャナ部１１が有する原稿載置台（プラテンガラス）の近傍や、プリンタ部１３が有する用紙搬送路の近傍等が挙げられる。ただし、これらの箇所に限定されることはなく、画像処理装置１０内のいずれかの箇所であればよい。情報リーダ部１４の通信能力（通信可能距離）によっては、その配設箇所に拘わらず、用紙に埋め込まれている無線タグとの間での情報授受を行うことが可能だからである。
【００１９】
ＵＩ部１５は、画像処理装置１０のユーザが情報入力のための操作を行ったり、そのユーザに対する情報出力を行ったりするものである。
【００２０】
制御部１６は、所定プログラムを実行するＣＰＵ（Central Processing Unit）等からなるもので、上述した各部１１〜１５および画像処理装置１０全体の動作制御を行うためのものである。
【００２１】
なお、スキャナ部１１および原稿搬送部１２と、プリンタ部１３とは、必ずしもこれらの両方を備えている必要はなく、少なくとも一方を備えていればよい。したがって、画像処理装置１０は、スキャナ装置またはプリンタ装置として用いられるものであってもよい。
【００２２】
〔無線タグ埋め込み用紙の構成例の説明〕
続いて、以上のような構成の画像処理装置１０が扱う用紙、特に無線タグが埋め込まれている用紙について説明する。
【００２３】
無線タグには、上述したようにｎビットのデジタル情報の記録が可能であるが、そのデジタル情報（記憶情報）の内容としては、その一つに、当該無線タグが埋め込まれている用紙上に描画される画像についての管理情報がある。「管理情報」とは、画像に対する処理を管理するための情報である。具体的には、用紙上の画像を読み取って得た画像データに対する処理（データ処理や印刷出力処理等）を行う際に用いるパラメータ情報や画像の属性情報、その他の各種設定情報が挙げられる。また、画像データに対する処理を可否を指示するセキュリティ情報やユーザに関する個人認証情報等を、管理情報とすることも考えられる。
【００２４】
ところで、無線タグにおける記憶情報は、情報リーダ部１４によって非接触で読み出されるが、無線通信によるため用紙の表裏面のどちら側からでも読み取りを行うことが可能である。したがって、例えば用紙の両面に画像が描かれている場合には、その用紙に埋め込まれている無線タグから情報リーダ部１４が読み取った管理情報が、その用紙のどちら面に描かれた画像についてのものであるかが不明となる可能性がある。
【００２５】
そこで、本実施形態で説明する無線タグには、上述した管理情報に加えて、描画画像の描画面についての面識別情報を、当該管理情報と対応付けて記憶保持させる。「面識別情報」とは、用紙の描画面を識別するための情報である。具体的には、用紙の表裏面を判別するための情報が挙げられる。ただし、必ずしも表裏面の別ではなく、画像の描画面と非描画面とを識別する情報であっても、あるいは複数枚の用紙からなる用紙束における各用紙の印刷出力面（両面または片面のいずれでも可）を特定するための情報であってもよい。
【００２６】
したがって、無線タグには、例えば用紙の両面に画像が描かれている場合であれば、少なくとも、一方の面に描かれた画像についての管理情報と、他方の面に描かれた画像についての管理情報と、これらの管理情報がどちらの面についてのものかを識別するための面識別情報とが、記憶保持されることになる。また、例えば用紙の一方の面のみに画像が描かれている場合であれば、少なくとも、当該一方の面に描かれた画像についての管理情報と、その管理情報が表裏どちらの面についてのものかを識別するための面識別情報とが、記憶保持されることになる。
【００２７】
ここで、無線タグに記憶保持される面識別情報について、具体例を挙げてさらに詳しく説明する。
【００２８】
〔面識別情報の第一の具体例の説明〕
図２は、描画画像の一具体例を示す説明図である。図例では、用紙２０の表裏面に、それぞれ異なる画像が描画されている。このような画像が描画された用紙２０についての面識別情報としては、用紙２０の面別に異なる当該用紙２０上の画像の特徴に関する情報を用いることが考えられる。
【００２９】
「画像の特徴に関する情報」としては、描画画像の特徴的な属性（例えば、テキスト／イメージの別、描画時刻等）や特徴的なレイアウト構成（例えば、オブジェクト配置の別）等を特定する情報が挙げられる。また、描画画像の特徴量（例えば、総データ量、データ圧縮率、平均濃度値、ダイナミックレンジ、存在するエッジ量、周波数成分、存在する色値の種類数等）に関する情報であってもよい。さらには、描画画像がテキストを含むものであれば、そのテキストを文字認識した結果（文字情報）であってもよい。さらにまた、描画画像の全体またはその一部を縮小して得られるサムネイル画像についての画像データを用いることも考えられる。勿論、これらの各情報を適宜組み合わせたものであってもよい。
【００３０】
また、「画像の特徴に関する情報」は、描画画像の描画面の全体から抽出してもよいが、その描画面の一部の領域に着目し、その領域のみから抽出することも考えられる。「一部の領域」としては、例えば当該領域を構成する画素間の濃度差が大きくない領域を選択すればよい。具体的には、描画画像のイメージ領域２１を選択することが考えられる。イメージ領域２１のように画素間の濃度差が少ない領域であれば、画素間の濃度差が大きいテキスト領域に比べて画像別の特徴量が明確化する傾向にあり、画像読み取り時における用紙傾きの影響や画像裏写りの影響等も抑えられるからである。さらに、「一部の領域」は、イメージ領域２１の中の特定領域２２であってもよい。具体的には、用紙の表裏面または用紙束を構成する用紙の各面における描画画像、特にその描画画像におけるイメージ領域２１同士を比較して、その比較結果から相違（例えば濃度値の違い）が著しい領域を特定領域２２として抽出選択することが考えられる。なお、特定領域２２のサイズについては、所定サイズとして予め設定しておけばよい。また、特定領域２２に限定する場合には、その位置を特定するための位置情報（例えば座標情報）が、当該特定領域２２における「画像の特徴に関する情報」と併せて管理されるものとする。このことは、特定領域２２として、その位置が限定されることなく、特徴が顕著である領域を選択し得ることを意味する。
【００３１】
〔面識別情報の第二の具体例の説明〕
図３は、面識別情報の他の具体例を示す説明図である。
面識別情報としては、用紙２０の面別に異なる態様で付与される識別記号２３に関する情報を用いることも考えられる。具体的には、図例のように、用紙２０の表裏面別または用紙束を構成する用紙２０の各面別に、異なる図形形状の識別記号２３を付与するとともに、その識別記号２３と被付与面との対応関係を特定する情報を、面識別情報として用いる。なお、識別記号２３は、用紙２０の面別に異なる態様で付与されるものであれば、図例のような図形記号に限定されるものではなく、他の記号（例えばバーコードに代表されるイメージ化されたコード）であってもよい。
【００３２】
このような識別記号２３は、用紙２０上における描画画像に与える影響を極力抑えるべく、その描画画像の邪魔にならない当該用紙２０上の領域に付与されるものとする。具体的には、用紙２０上において画像が描画されない領域であるヘッダ部分（上側余白部分）またはフッタ部分（下側余白部分）を、識別記号２３の付与領域とすることが考えられる。このような付与領域およびその領域中における識別記号２３の付与位置については、予めの設定に基づいて決定されるものとする。ただし、予め設定された領域を付与領域とするのではなく、識別記号２３を付与する必要が生じる度に、描画画像との関係において付与領域を決定してもよい。すなわち、描画画像の画像データを解析し、例えば白画素値で構成される所定面積以上の領域を画像が存在しない領域として抽出し、その抽出領域を付与領域として決定することも考えられる。いずれの場合も、用紙２０上の識別記号２３は、目立たない領域に付与されることになる。
【００３３】
〔面識別情報の第三の具体例の説明〕
図４は、面識別情報のさらに他の具体例を示す説明図である。
面識別情報としては、用紙２０の処理対象面からみた無線タグ２４の埋め込み位置に関する情報を用いることも考えられる。具体的には、図例のように、用紙２０に埋め込まれている無線タグ２４が一つのみの場合であれば、無線タグ２４の埋め込み位置が、用紙２０の表面についてはその表面からみて用紙２０の左下側にあることを特定する情報を、また用紙２０の裏面についてはその裏面からみて用紙２０の右下側にあることを特定する情報を、それぞれ面識別情報として用いる。無線タグ２４の埋め込み位置の特定は、例えば用紙上における座標値によって行うことが考えられる。ただし、用紙２０の描画面の識別が可能であればよく、位置特定に高精度が要求されないことから、用紙２０上を複数（例えば四つ）の領域に分割し、その分割領域（例えば、左上領域、右上領域、左下領域、右下領域）のうちのどの領域に無線タグ２４が属しているかによって、その無線タグ２４の埋め込み位置の特定を行っても構わない。なお、一つの用紙２０に複数の無線タグ２４が埋め込まれている場合であっても、各無線タグ２４を識別するための識別子を関連付ければ、各無線タグ２４の埋め込み位置を特定することは可能である。
【００３４】
図５は、面識別情報の第三の具体例における変形例を示す説明図である。
上述したように、無線タグ２４の埋め込み位置に関する情報を用いる場合には、その埋め込み位置に関するに加えて、用紙２０上における画像の描画方向に関する情報を、面識別情報として用いることも考えられる。具体的には、画像の描画方向に関する情報として、図例のように、用紙２０上に画像が横書きされているか（ＳＥＦ）、あるいは縦書きされているか（ＬＥＦ）を特定する情報を用いる、これにより、用紙２０上における描画画像の上下（天地）方向と、その用紙２０上での無線タグ２４の埋め込み位置との関係が明らかとなるので、用紙２０に対する処理を行う際のその用紙２０のセット方向に拘わらずに、その用紙２０上での無線タグ２４の埋め込み位置を正しく判別することができ、結果として用紙２０の描画面の識別を精度良く行えるようになる。
【００３５】
〔画像処理装置における処理動作例の説明〕
次に、画像処理装置１０が無線タグ２４の埋め込み済みの用紙２０に対する処理を行う際の処理動作例を説明する。
【００３６】
先ず、プリンタ部１３が用紙２０上への画像の印刷出力を行う場合の処理動作例について説明する。
画像処理装置１０では、無線タグ２４が埋め込まれている用紙（以下「無線タグ埋め込み用紙」という）２０がプリンタ部１３の給紙トレイにセットされた後、無線タグ２４に対応したモードのコピージョブ、プリントジョブまたはＦＡＸジョブが発行されると、プリンタ部１３がそのジョブに係る画像データを受け取って、その画像データの印刷出力を行う。すなわち、プリンタ部１３は、受け取った画像データに基づいて画像形成を行い、その形成した画像の無線タグ埋め込み用紙２０上への印刷出力を行う。
このとき、情報リーダ部１４は、プリンタ部１３での印刷出力の対象となる無線タグ埋め込み用紙２０に埋め込まれている無線タグ２４に対して、その無線タグ埋め込み用紙２０上に印刷出力される画像についての管理情報の書き込みを行うとともに、その無線タグ埋め込み用紙２０についての面識別情報の書き込みを行う。面識別情報については、プリンタ部１３からの情報（例えば、用紙の画像描画面の情報）の提供を受けた制御部１６が行えばよい。
これにより、プリンタ部１３からは、ジョブに係る画像が印刷出力され、かつ、無線タグ２４内にその画像の管理情報および面識別情報が書き込まれた無線タグ埋め込み用紙２０が排出されることになる。つまり、無線タグ２４内の記憶情報によって、印刷出力された画像についての管理情報と、その画像の印刷出力面とが、互いに対応付けられた状態で出力されるのである。
【００３７】
続いて、スキャナ部１１が無線タグ埋め込み用紙２０からの画像読み取りを行う場合の処理動作例について説明する。
画像処理装置１０では、無線タグ埋め込み用紙２０がスキャナ部１１の原稿載置台上または原稿搬送部１２の給紙トレイ上にセットされ、その無線タグ埋め込み用紙２０上に描かれている画像についてのコピージョブまたはスキャンジョブが発行されると、スキャナ部１１がその無線タグ埋め込み用紙２０に対する光学的な画像読み取りを行い、その用紙２０からの画像データの取得を行う。
このとき、情報リーダ部１４は、スキャナ部１１での画像読み取りの対象となる無線タグ埋め込み用紙２０に埋め込まれている無線タグ２４との通信を行い、その無線タグ２４からの記憶情報の読み取りを行う。すなわち、情報リーダ部１４は、無線タグ２４から管理情報および面識別情報の読み取りを行うのである。
そして、スキャナ部１１が画像読み取りを行い、かつ、情報リーダ部１４が情報読み取りを行うと、制御部１６は、これらの読み取り結果、特に情報リーダ部１４が読み取った面識別情報に基づいて、スキャナ部１１が読み取った画像と情報リーダ部１４が読み取った管理情報との対応付けを行う。
【００３８】
対応付けは、以下のようにして行えばよい。
例えば、上述した第一の具体例の場合であれば、面識別情報として画像の特徴に関する情報を用いることから、制御部１６は、スキャナ部１１での画像読み取り結果からその画像の特徴を抽出して、その抽出した特徴に合致する面識別情報を情報リーダ部１４での情報読み取り結果の中から探し出す。そして、合致した面識別情報と対応付けて無線タグ２４内に記憶保持されていた管理情報を、スキャナ部１１が読み取った画像についての管理情報であると判断する。
また、例えば、上述した第二の具体例の場合であれば、面識別情報として識別記号２３を用いることから、制御部１６は、スキャナ部１１での画像読み取り結果からその画像の描画面に付与された識別記号２３を公知のパターン認識技術等によって抽出して、その抽出した識別記号２３に合致する面識別情報を情報リーダ部１４での情報読み取り結果の中から探し出す。そして、合致した面識別情報と対応付けて無線タグ２４内に記憶保持されていた管理情報を、スキャナ部１１が読み取った画像についての管理情報であると判断する。
また、例えば、上述した第三の具体例の場合であれば、面識別情報として無線タグ２４の埋め込み位置情報を用いることから、制御部１６は、情報リーダ部１４での情報読み取り結果に基づいて用紙２０上での無線タグ２４の埋め込み位置を認識し、その認識した埋め込み位置に合致する面識別情報を情報リーダ部１４での情報読み取り結果の中から探し出す。そして、合致した面識別情報と対応付けて無線タグ２４内に記憶保持されていた管理情報を、スキャナ部１１が読み取った画像についての管理情報であると判断する。
【００３９】
なお、上述した第三の具体例において、無線タグ２４の埋め込み位置情報に加え、画像の描画方向に関する情報をも面識別情報として用いる場合であれば、制御部１６は、スキャナ部１１での画像読み取り結果からその画像の描画方向の認識を行う。この認識については、例えばテキストを含む画像であれば、文字認識を正しく行えるか否かによる画像上下（天地）方向の判断を通じて行うことが考えられる。ただし、他の公知技術を用いて行ってもよい。そして、画像の描画方向の認識したら、その認識結果と無線タグ２４の埋め込み位置の認識結果との両方を基にして、合致する面識別情報の探索を行う。
このようにすれば、例えばスキャナ部１１または原稿搬送部１２にセットされた無線タグ埋め込み用紙２０の天地が逆であっても、無線タグ２４の埋め込み位置を正しく認識することができるので、画像の描画面と管理情報の対応付けを誤ってしまうことがない。また、用紙２０の表裏面または用紙束を構成する用紙２０の各面で、ＳＥＦ出力とＬＥＦ出力が混在している場合についても、全く同様のことが言える。つまり、画像の描画方向に関する情報を面識別情報として含めれば、画像の描画面と管理情報の対応付けの精度向上を図る上で非常に有効なものとなる。
【００４０】
そして、画像の描画面と管理情報の対応付けの後は、制御部１６は、その管理情報に従いつつ、スキャナ部１１での画像読み取りで得た画像データに対する画像処理動作を行うように、画像処理装置１０における各部の動作制御を行う。
【００４１】
以上に説明したように、本実施形態における画像処理装置１０および無線タグ埋め込み用紙２０によれば、描画画像についての管理情報に加えて、その画像描画面についての面識別情報を、無線タグ２４に記憶させるので、その無線タグ２４内における記憶情報、特に用紙２０の各面に描かれる画像についての管理情報と、処理対象となる用紙２０の面とを、それぞれ対応付けることが可能となる。
【００４２】
したがって、例えば、用紙２０の表裏面で異なる管理情報を無線タグ２４が記憶する場合であっても、各管理情報が用紙２０の表面／裏面のいずれに関する情報であるかを判別することができ、その表裏面のそれぞれに対して管理情報によって特定される処理を適切に実行し得るようになる。
また、例えば、用紙束を構成する各用紙２０に埋め込まれたそれぞれの無線タグ２４から管理情報が読み取られた場合であっても、それぞれの管理情報と個々の用紙２０における各面との対応付けが可能になるので、各面に対して適切な処理を実行し得るようになる。このことは、各用紙２０におけるそれぞれの無線タグ２４から同時に情報を読み取っても、各面に対して適切な処理を実行し得ることを意味する。したがって、無線タグ２４からの情報読み取りの迅速化も期待できるようになる。
また、例えば、スキャナ部１１での画像読み取りに先立って無線タグ２４からの情報読み取りを行うようにタイミング制御を行えば、スキャナ部１１での画像読み取りの対象となる面が画像の描画面であるか否かの判別も可能となる。したがって、スキャナ部１１での不必要な処理動作を省いて、処理迅速化や生産性向上等を実現することが可能となる。
【００４３】
つまり、本実施形態で説明した画像処理装置１０および無線タグ埋め込み用紙２０によれば、用紙２０の複数面を処理対象とする場合であっても、その用紙２０の各面と無線タグ２４内の情報との対応付けが可能であるため、その無線タグ２４における記憶情報を適切に利用して画像処理を行うことができる。
【００４４】
なお、本実施形態では、本発明の好適な実施具体例を説明したが、本発明はその内容に限定されるものではない。例えば、面識別情報については、第一〜第三の具体例について説明したが、これらを適宜組み合わせて用いることも考えられる。このように、本発明は、その要旨を逸脱しない範囲で適宜変更することが可能である。
【図面の簡単な説明】
【００４５】
【図１】本発明に係る画像処理装置の概略構成の一例を示す説明図であり、（ａ）はその平面模式図、（ｂ）はその正面模式図である。
【図２】本発明に係る画像処理装置が扱う描画画像の一具体例を示す説明図であり、（ａ）は表面側を示す図、（ｂ）は裏面側を示す図である。
【図３】本発明に係る画像処理装置が扱う描画画像および面識別情報の他の具体例を示す説明図であり、（ａ）は表面側を示す図、（ｂ）は裏面側を示す図である。
【図４】本発明に係る画像処理装置が扱う描画画像および面識別情報のさらに他の具体例を示す説明図であり、（ａ）は表面側を示す図、（ｂ）は裏面側を示す図である。
【図５】図４に示す面識別情報の変形例を示す説明図であり、（ａ）は表面側を示す図、（ｂ）は裏面側を示す図である。
【符号の説明】
【００４６】
１０…画像読取装置、１１…スキャナ部、１２…原稿搬送部、１３…プリンタ部、１４ｂ…情報リーダ部、１５…ＵＩ部、１６…制御部、２０…用紙（無線タグ埋め込み用紙）、２１…イメージ領域、２２…特定領域、２３…識別記号、２４…無線タグ
【図１】
2007105889.tif 000003
【図２】
2007105889.tif 000004
【図３】
2007105889.tif 000005
【図４】
2007105889.tif 000006
【図５】
2007105889.tif 000007